(57)【要約】【課題】各縦仕切板と各横仕切板とによる区画形状を部分的に変更することができ、大きさの異なる複数の被包装物を混在させて収容することができる仕切体を提供する。【解決手段】横仕切板３を複数の仕切小片１３により構成する。縦仕切板２の横仕切板３との交差位置にスリット６ａ，６ｂを設ける。縦仕切板２を介して互いに隣う仕切小片１３のうち、一方の仕切小片１３に縦仕切板２の一方のスリット６ａに挿入する挿入爪１５を設け、他方の仕切小片１３に縦仕切板２の他方のスリット６ｂに挿入する挿入爪１５を設ける。一方の仕切小片１３に、他方の仕切小片１３の挿入爪１５に対応する凹部１６を設け、他方の仕切小片１３に、一方の仕切小片１３の挿入爪１５に対応する凹部１６を設ける。【選択図】図４
2006160292.tif 000002
【特許請求の範囲】
【請求項１】
起立する縦仕切板と、該縦仕切板に交差して起立する横仕切板とを備える仕切体において、
前記横仕切板は、前記縦仕切板を介して互いに着脱自在に連接する複数の仕切小片により構成され、
前記縦仕切板は、前記横仕切板との交差位置に上下方向に配設され且つ上下方向に延びる一対のスリットを備え、
前記縦仕切板を介して互いに隣う前記仕切小片のうち、一方の仕切小片は、前記縦仕切板の一方のスリットに挿入する挿入爪を備え、他方の仕切小片は、前記縦仕切板の他方のスリットに挿入する挿入爪を備え、
一方の仕切小片は、前記縦仕切板の他方のスリットに挿入された他方の仕切小片の挿入爪に対応する凹部を備え、他方の仕切小片は、前記縦仕切板の一方のスリットに挿入された一方の仕切小片の挿入爪に対応する凹部を備えることを特徴とする仕切体。
【請求項２】
前記縦仕切板を介して互いに隣う前記仕切小片のうち、一方の仕切小片は、前記縦仕切板の上下方向の何れか一方の端縁に掛止する掛止爪を備え、他方の仕切小片は、前記縦仕切板の他方の端縁に掛止する掛止爪を備え、
一方の仕切小片は、前記縦仕切板の他方の端縁に掛止された他方の仕切小片の掛止爪に対応する切欠部を備え、他方の仕切小片は、前記縦仕切板の一方の端縁に掛止された一方の仕切小片の掛止爪に対応する切欠部を備えることを特徴とする請求項１記載の仕切体。
【請求項３】
前記縦仕切板は、該縦仕切板と同じ位置に上下方向に配設され且つ上下方向に延びる一対のスリットを備えて互いに対向して起立する一対の縦枠板の間に配設され、
前記横仕切板は、前記縦仕切板の長手方向の両端縁が当接する位置に上下方向に配設され且つ上下方向に延びる一対のスリットを備えて互いに対向して起立する一対の横枠板の間に配設され、
前記横仕切板を構成する各仕切小片のうち両端部に位置する仕切小片は、前記縦枠板の上下方向の両端縁に掛止する一対の掛止爪と、前記縦枠板の両スリットに挿入する挿入凸部とを備え、
前記縦仕切板は、前記横枠板の上下方向の両端縁に掛止する一対の掛止爪と、前記横枠板の両スリットに挿入する挿入凸部とを備えることを特徴とする請求項１又は２記載の仕切体。
【発明の詳細な説明】
【技術分野】
【０００１】
本発明は、縦仕切板と横仕切板とが起立状態で交差して格子状に組み立てられる仕切体に関する。
【背景技術】
【０００２】
従来、複数の縦仕切板と複数の横仕切板とが共に起立した状態で互いに交差するように組み立てられ、それらの複数の縦仕切板と複数の横仕切板とによって包装容器等の内部を複数に区画する仕切体が知られている（例えば、特許文献１参照）。
【０００３】
この種の仕切体は、縦仕切板に形成された複数の切欠部と横仕切板に形成された切欠部とを互いに係合させることにより、縦仕切板と横仕切板との係合状態が確実に維持されるように組み立てられている。
【０００４】
ところで、この種の仕切体は、所定の間隔で配設された各縦仕切板と所定の間隔で配設された各横仕切板とが互いに係合し合って形成されていることにより、各縦仕切板と各横仕切板とによって同じ形状に区画された複数の収容部に複数の被包装物が個別に収容される。
【０００５】
しかし、各縦仕切板と各横仕切板とによる区画形状は全て同一であるため、形状（大きさ）の異なる複数の被包装物をこの種の仕切体によって区画された包装容器内に混在させて収容することができない不都合があった。
【特許文献１】実開平５−１０４１２５号公報（図１、図２）
【発明の開示】
【発明が解決しようとする課題】
【０００６】
かかる不都合を解消して、本発明は、各縦仕切板と各横仕切板とによる区画形状を部分的に変更することができ、形状（大きさ）の異なる複数の被包装物を混在させて収容することができる仕切体を提供することを目的とする。
【課題を解決するための手段】
【０００７】
かかる目的を達成するために、本発明は、起立する縦仕切板と、該縦仕切板に交差して起立する横仕切板とを備える仕切体において、前記横仕切板は、前記縦仕切板を介して互いに着脱自在に連接する複数の仕切小片により構成され、前記縦仕切板は、前記横仕切板との交差位置に上下方向に配設され且つ上下方向に延びる一対のスリットを備え、前記縦仕切板を介して互いに隣う前記仕切小片のうち、一方の仕切小片は、前記縦仕切板の一方のスリットに挿入する挿入爪を備え、他方の仕切小片は、前記縦仕切板の他方のスリットに挿入する挿入爪を備え、一方の仕切小片は、前記縦仕切板の他方のスリットに挿入された他方の仕切小片の挿入爪に対応する凹部を備え、他方の仕切小片は、前記縦仕切板の一方のスリットに挿入された一方の仕切小片の挿入爪に対応する凹部を備えることを特徴とする。
【０００８】
本発明によれば、前記横仕切板を前記縦仕切板を介して互いに着脱自在に連接する複数の仕切小片により構成したことにより、互いに隣り合う縦仕切板の間に位置する各仕切小片を単独で取り外すことができる。これによって、区画形状を部分的に変更することができ、形状（大きさ）の異なる複数の被包装物を混在させて収容することができる。
【０００９】
更に、縦仕切板を介して互いに連結された両仕切小片は、挿入爪同士が互いに干渉することなく縦仕切板の一対のスリットに個別に挿入された状態とされ、しかも、夫々の挿入爪に対応する凹部に収容されるので、前記横仕切板と前記縦仕切板とが互いに直行するように組み付けて仕切体を形成すれば、該仕切体を対角線方向に容易に折り畳むことができる。
【００１０】
また、本発明においては、前記縦仕切板を介して互いに隣う前記仕切小片のうち、一方の仕切小片は、前記縦仕切板の上下方向の何れか一方の端縁に掛止する掛止爪を備え、他方の仕切小片は、前記縦仕切板の他方の端縁に掛止する掛止爪を備え、一方の仕切小片は、前記縦仕切板の他方の端縁に掛止された他方の仕切小片の掛止爪に対応する切欠部を備え、他方の仕切小片は、前記縦仕切板の一方の端縁に掛止された一方の仕切小片の掛止爪に対応する切欠部を備えることを特徴とする。
【００１１】
本発明によれば、各仕切小片に設けられた掛止爪により、各仕切小片と縦仕切板とを強固に連結することができ、各仕切小片の不用意な外れを確実に防止することができる。
【００１２】
また、本発明において、前記縦仕切板は、該縦仕切板と同じ位置に上下方向に配設され且つ上下方向に延びる一対のスリットを備えて互いに対向して起立する一対の縦枠板の間に配設され、前記横仕切板は、前記縦仕切板の長手方向の両端縁が当接する位置に上下方向に配設され且つ上下方向に延びる一対のスリットを備えて互いに対向して起立する一対の横枠板の間に配設され、前記横仕切板を構成する各仕切小片のうち両端部に位置する仕切小片は、前記縦枠板の上下方向の両端縁に掛止する一対の掛止爪と、前記縦枠板の両スリットに挿入する挿入凸部とを備え、前記縦仕切板は、前記横枠板の上下方向の両端縁に掛止する一対の掛止爪と、前記横枠板の両スリットに挿入する挿入凸部とを備えることを特徴とする。
【００１３】
前記縦枠板と前記横枠板とを設けることにより、縦仕切板と横仕切板との組み付け状態を強固に維持することができるだけでなく、前記縦枠板と前記横仕切板との連結、及び前記横枠板と前記縦仕切板との連結が確実に維持されるので、例えば、仕切小片を部分的に取り外しても、仕切体の組立状態を強固に維持することができる。
【発明を実施するための最良の形態】
【００１４】
本発明の実施形態を図面に基づいて説明する。図１は実施形態の仕切体の説明的平面図、図２は縦仕切板の形状を示す説明図、図３は横仕切板の構成を示す説明図、図４は仕切小片と縦仕切板との組み付け状態を部分的に示す説明図、図５は仕切小片と縦枠板との組み付け状態を部分的に示す説明図、図６は横枠板の形状を示す説明図、図７は一部の仕切小片を取り外した仕切体の説明的平面図、図８は仕切体の折り畳み状態を示す説明的平面図、図９は仕切小片の形状を示す説明図、図１０は他の仕切小片の形状を示す説明図、図１１は他の仕切小片を用いた仕切体の説明的平面図、図１２は他の実施形態の縦仕切板の形状を示す説明図、図１３は他の実施形態の横枠板の形状を示す説明図、図１４は他の実施形態の横仕切板の構成を示す説明図、図１５は他の実施形態の仕切小片の形状を示す説明図である。
【００１５】
本実施形態の仕切体１は、図１に示すように、合成樹脂製の板材からなる複数の縦仕切板２と、複数の横仕切板３とが起立した状態で互いに交差して組み立てられている。各縦仕切板２は一対の縦枠板４の間に所定間隔を存して配設され、各横仕切板３は一対の横枠板５の間に所定間隔を存して配設されている。
【００１６】
図２に示すように、前記縦仕切板２は、前記横仕切板３との交差位置に対応して一対のスリット（上スリット６ａ、下スリット６ｂ）を備えている。上スリット６ａと下スリット６ｂとは、上下方向に延びて互いに連続して形成されている。上スリット６ａ及び下スリット６ｂには、夫々の内側に突出する撓み部７が形成されている。縦仕切板２の両スリット６ａ，６ｂに対応する上縁には上掛止凹部８が形成され、その下方に位置する下縁には下掛止凹部９が形成されている。更に、縦仕切板２の長手方向の両端縁部には、上下一対の端部掛止爪１０と両端部掛止爪１０間に突出する挿入凸部１１とが形成されている。また、前記縦枠板４は、図２示の縦仕切板２と同一形状のものが採用されており、縦仕切板２と同じく、上スリット６ａ、下スリット６ｂ、上掛止凹部８、及び下掛止凹部９を備え、その長手方向の両端縁部に上下一対の端部掛止爪１０と挿入凸部１１とを備えている。
【００１７】
図３に示すように、前記横仕切板３は、一対の端部仕切小片１２と、両端部仕切小片１２の間に連結された複数の内部仕切小片１３とにより形成されている。内部仕切小片１３は、両端縁部の夫々に、掛止爪１４及び挿入爪１５を備えている。掛止爪１４は、内部仕切小片１３の上下角部の何れか一方に形成されており、挿入爪１５は縦仕切板２の上スリット６ａと下スリット６ｂとの何れか一方に対応する位置に形成されている。更に、挿入爪１５の近傍には、該挿入爪１５に対応する形状の凹部１６が形成されており、掛止爪１４の上下方向の反対側には、該掛止爪１４に対応する形状の切欠部１７が形成されている。
【００１８】
互いに隣り合う内部仕切小片１３同士は、一方の内部仕切小片１３の挿入爪１５が他方の内部仕切小片１３の凹部１６に係合し、他方の内部仕切小片１３の挿入爪１５が一方の内部仕切小片１３の凹部１６に係合して互いに連結される。このとき、図４に示すように、各内部仕切小片１３の挿入爪１５が縦仕切板２の両スリット６ａ，６ｂに挿入し、同時に、一方の内部仕切小片１３の掛止爪１４と他方の内部仕切小片１３の掛止爪１４とが縦仕切板２の上下の掛止凹部８，９に掛止して縦仕切板２に連結される。
【００１９】
端部仕切小片１２は、図３に示すように、縦仕切板２側の端縁部には、前記内部仕切小片１３と同じく、挿入爪１５、掛止爪１４、凹部１６、及び切欠部１７が設けられている。また、端部仕切小片１２の縦枠板４側の端縁部には、上下一対の端部掛止爪１０と両端部掛止爪１０の間に突出する挿入凸部１１が形成されている。そして、端部仕切小片１２は、図５に示すように、挿入凸部１１が縦枠板４の両スリット６ａ，６ｂに挿入し、両端部掛止爪１０が縦枠板４の上下の掛止凹部８，９に掛止して縦枠板４に連結される。
【００２０】
前記横枠板５は、図６に示すように、前記縦枠板４及び前記縦仕切板２と同様に、上スリット６ａ及び下スリット６ｂを備え、上スリット６ａ及び下スリット６ｂには、夫々の内側に突出する撓み部７が形成されている。また、横枠板５の上縁の両スリット６ａ，６ｂに対応する位置には上掛止凹部８が形成され、その下方に位置する下縁には下掛止凹部９が形成されている。これにより、図示しないが、図５に示した縦枠板４と端部仕切小片１２との連結状態と同様にして、前記縦枠板４及び前記縦仕切板２と横枠板５とが連結される。
【００２１】
このようにして形成されている本実施形態の仕切体１は、横仕切板３が複数の仕切小片１２，１３を連結して形成されているので、隣り合う縦仕切板２の間から各仕切小片１２，１３の何れかを取り外すことができる。これによって、例えば、図７に示すように、所望の位置の仕切小片（図７においては内部仕切小片１３のうちの一つ）を所望の数だけ取り外し、形状（大きさ）の異なる被収容物を混在させて収容することができる。なお、本実施形態においては、一対の縦枠板４の間に３つの縦仕切板２を設け、一対の横枠板５の間に３つの横仕切板３を設けて構成された仕切体１を図示して説明したが、縦仕切板２及び横仕切板３の数はこれに限るものではなく適宜増減することができることは言うまでもない。
【００２２】
また、本実施形態の仕切体１によれば、各内部仕切小片１３の挿入爪１５が縦仕切板２の上スリット６ａ及び下スリット６ｂに互い違いに挿入されているので、図８に示すように、仕切体１の対角線方向に容易に畳むことができ、未使用時の保管スペースを小とすることができる。
【００２３】
また、端部仕切小片１２及び内部仕切小片１３については、図２において示した形状のもの以外に、図９（ａ）〜（ｆ）に示す形状を採用することができ、これらの裏表を反転、或いは上下を反転させるなどして状況に応じて組み合わせることで横仕切板３を容易に形成することができる。
【００２４】
また、図１０に示すように、長さ寸法が大とされた長尺仕切小片１８を用いることにより、例えば、図１１に示すように、仕切体１の一部の内部仕切小片１３を取り外した後に、長尺仕切小片１８を斜めに取り付けることで、形状の異なる被収容物にあわせた区画形状を容易に形成することができる。
【００２５】
更に、本実施形態においては、図２及び図６に示すように、上下に連続する上スリット６ａと下スリット６ｂとを備えた縦仕切板２（縦枠板４）及び横枠板５を示したが、他の実施形態として、図１２及び図１３に示すように、上スリット２０と下スリット２１とが間隙２２を存して不連続に形成された縦仕切板２３（縦枠板２４）及び横枠板２５を用いてもよい。なお、前述の実施形態において説明したものと同じ構成部分については、図１乃至図１１と同じ符号を付してその説明を省略する。
【００２６】
そして他の実施形態においては、図１４に示すように、一対の端部仕切小片２６と複数の内部仕切小片２７とが互いに連結された横仕切板２８を形成する。即ち、内部仕切小片２７は、その挿入爪２９と凹部３０との間に間隙３１が設けられている。また、端部仕切小片２６の縦枠板２４側の端縁部に設けられている挿入凸部３２は縦枠板２４の上スリット２０と下スリット２１とに対応して一対形成されている。同じく、縦仕切板２３の長手方向の両端部には横枠板２５の上スリット２０と下スリット２１とに対応して一対の挿入凸部３２が形成されている。
【００２７】
更に、他の実施形態においても、端部仕切小片２６及び内部仕切小片２７については、図４において示した形状のもの以外に、図１５（ａ）〜（ｆ）に示す形状を採用することができ、これらの裏表を反転、或いは上下を反転させるなどして状況に応じて組み合わせることで横仕切板２８を容易に形成することができる。
【図面の簡単な説明】
【００２８】
【図１】本発明の実施形態の仕切体の説明的平面図。
【図２】本実施形態の縦仕切板の形状を示す説明図。
【図３】本実施形態の横仕切板の構成を示す説明図。
【図４】本実施形態の仕切小片と縦仕切板との組み付け状態を部分的に示す説明図。
【図５】本実施形態の仕切小片と縦枠板との組み付け状態を部分的に示す説明図。
【図６】本実施形態の横枠板の形状を示す説明図。
【図７】本実施形態の一部の仕切小片を取り外した仕切体の説明的平面図。
【図８】本実施形態の仕切体の折り畳み状態を示す説明的平面図。
【図９】本実施形態の仕切小片の形状を示す説明図。
【図１０】他の仕切小片の形状を示す説明図。
【図１１】他の仕切小片を用いた仕切体の説明的平面図。
【図１２】他の実施形態の縦仕切板の形状を示す説明図。
【図１３】他の実施形態の横枠板の形状を示す説明図。
【図１４】他の実施形態の横仕切板の構成を示す説明図。
【図１５】他の実施形態の仕切小片の形状を示す説明図。
【符号の説明】
【００２９】
１…仕切体、２，２３…縦仕切板、３，２８…横仕切板、４…縦枠板、５…横枠板、６ａ，６ｂ，２０，２１…スリット、１０，１４…掛止爪、１１，３２…挿入凸部、１２，１３，２６，２７…仕切小片、１５，２９…挿入爪、１６，３０…凹部、１７…切欠部。
【図１】
2006160292.tif 000003
【図２】
2006160292.tif 000004
【図３】
2006160292.tif 000005
【図４】
2006160292.tif 000006
【図５】
2006160292.tif 000007
【図６】
2006160292.tif 000008
【図７】
2006160292.tif 000009
【図８】
2006160292.tif 000010
【図９】
2006160292.tif 000011
【図１０】
2006160292.tif 000012
【図１１】
2006160292.tif 000013
【図１２】
2006160292.tif 000014
【図１３】
2006160292.tif 000015
【図１４】
2006160292.tif 000016
【図１５】
2006160292.tif 000017